(57)【特許請求の範囲】
【請求項１】
折り処理され、排出された用紙を集積する用紙集積装置において、
フレームと、
前記フレームに昇降可能に保持され、排出された用紙を集積する集積トレイと、
前記集積トレイに用紙が排出される際に用紙を案内し、前記集積トレイ上に集積された用紙の排出搬送方向における後端を押さえるように前記フレームに固定されている案内押さえ手段と、
前記集積トレイ上に集積された用紙を押さえる押さえ手段と、
前記押さえ手段を制御する制御手段と、を有し、
前記集積トレイは、最大積載量に達した段階で満杯信号を出力するセンサが作動するように、前記集積トレイ上に集積された用紙の集積量の増加に応じて、前記案内押さえ手段に押されて下降し、
前記制御手段は、用紙サイズ、用紙の種類及び折り処理の種類の少なくとも一つに応じて前記押さえ手段を、少なくとも用紙を押さえる押さえ位置又は用紙から退避した退避位置に選択的に位置させることを特徴とする用紙集積装置。
【請求項２】
前記押さえ手段は、用紙の排出搬送方向における先端が突き当たる先端ストッパを有することを特徴とする請求項１に記載の用紙集積装置。
【請求項３】
前記押さえ手段は、前記集積トレイ上の用紙を上から押さえる押さえ部を有することを特徴とする請求項１又は請求項２に記載の用紙集積装置。
【請求項４】
前記集積トレイに集積された用紙の排出搬送方向における後端を受ける後端支持壁を有し、前記先端ストッパは前記後端支持壁に平行であることを特徴とする請求項２に記載の用紙集積装置。
【請求項５】
前記制御手段は、排紙時には、前記押さえ手段を前記押さえ位置に位置させ、非排紙時には、前記押さえ手段を前記退避位置に位置させることを特徴とする請求項１から４のいずれか１項に記載の用紙集積装置。
【請求項６】
前記案内押さえ手段は、排出搬送される用紙に接して従動して回転するように前記フレームに固定された軸に回転自在に取り付けられた回転体を有することを特徴とする請求項１から５のいずれか１項に記載の用紙集積装置。
【請求項７】
用紙の排出搬送方向先端部を押さえる先端押さえ部材を有することを特徴とする請求項１から６のいずれか１項に記載の用紙集積装置。
【請求項８】
用紙を折り処理する折り処理部と、
一対の排紙ローラを有し、前記折り処理部により折り処理された用紙を前記排紙ローラにより排出する排紙部と、
前記排紙部から排出された用紙を集積する用紙集積装置と、を有する用紙処理装置において、
前記用紙集積装置は、
フレームと、
前記フレームに昇降可能に保持され、前記折り処理部により折り処理されて前記排紙部により排出された用紙が集積される集積トレイと、
前記集積トレイに用紙を排出する際に用紙を案内し、前記集積トレイ上に集積された用紙の排出搬送方向における後端を押さえるように前記フレームに固定されている案内押さえ手段と、
前記集積トレイ上に集積された用紙を押さえる押さえ手段と、
前記押さえ手段を制御する制御手段と、を有し、
前記集積トレイは、最大積載量に達した段階で満杯信号を出力するセンサが作動するように、前記集積トレイ上に集積された用紙の集積量の増加に応じて、前記案内押さえ手段に押されて下降し、
前記制御手段は、用紙サイズ、用紙の種類及び折り処理の種類の少なくとも一つに応じて前記押さえ手段を、少なくとも用紙を押さえる押さえ位置又は用紙から退避した退避位置に選択的に位置させることを特徴とする用紙処理装置。
【請求項９】
前記押さえ手段は、用紙の排出搬送方向における先端が突き当たる先端ストッパを有することを特徴とする請求項８に記載の用紙処理装置。
【請求項１０】
前記押さえ手段は、前記集積トレイ上の用紙を上から押さえる押さえ部を有することを特徴とする請求項８又は請求項９に記載の用紙処理装置。
【請求項１１】
前記集積トレイに集積された用紙の排出搬送方向における後端を受ける後端支持壁を有し、前記先端ストッパは前記後端支持壁に平行であることを特徴とする請求項９に記載の用紙処理装置。
【請求項１２】
前記制御手段は、排紙時には、前記押さえ手段を前記押さえ位置に位置させ、非排紙時には、前記押さえ手段を前記退避位置に位置させることを特徴とする請求項８から１１のいずれか１項に記載の用紙処理装置。
【請求項１３】
前記案内押さえ手段は、排出搬送される用紙に接して従動して回転するように前記フレームに固定された軸に回転自在に取り付けられた回転体を有することを特徴とする請求項８から１２のいずれか１項に記載の用紙処理装置。
【請求項１４】
前記回転体は、排出搬送される用紙が前記排紙ローラを離れた直後に、前記排出搬送される用紙の後端を前記集積トレイに対して押し付けることを特徴とする請求項１３に記載の用紙処理装置。
【請求項１５】
前記回転体の軸の中心が前記排紙ローラにより形成されるニップの延長線よりも上方であり、前記回転体の用紙押さえ面が前記延長線よりも下方に位置するように、前記回転体が配置されていることを特徴とする請求項１３又は１４に記載の用紙処理装置。
【発明の詳細な説明】
【技術分野】
【０００１】
本発明は用紙に対して折り処理を行う用紙処理装置、特に、画像形成装置との組み合わせにより、画像が形成された用紙に対して折り処理を行う小型の用紙処理装置における用紙排出部の改良に関する。
【背景技術】
【０００２】
画像形成装置や用紙処理装置における排出部については、集積トレイ上に用紙を整然と集積するための改良が行われている。
【０００３】
折り処理された用紙は、折り処理されない用紙、即ち、平板状の用紙に比較して形状が不規則になりやすく、排紙部において不規則に集積されやすい。このため、折り処理部を備えた従来の用紙処理装置では、箱状の用紙集積装置に排出された用紙を不規則に集積するのが一般的であった。
【０００４】
このような集積方法では、集積した用紙の取り扱いに支障を来すので、折り処理した用紙を整然と集積する集積装置が考案されている。
【０００５】
例えば、特許文献１では、排出された用紙を押さえ手段で押さえるとともに、先端ストッパを設けて用紙が集積装置から飛び出さないようにしている。
【特許文献１】特開２００２−２５５４３１号公報
【発明の開示】
【発明が解決しようとする課題】
【０００６】
折り処理された用紙は、用紙サイズ、用紙の種類等によらず一様な形態で集積するのではなく、用紙サイズ、用紙の種類或いは折り処理の種類に応じて様々な形態で集積される。
【０００７】
しかるに、特許文献１のように、集積形態が変化しない集積装置に折り処理された用紙を排出し集積したときには、用紙サイズ、用紙の種類或いは折り処理の種類によっては、十分な整合をとることができず用紙が散乱したり、また、整合が必要でないときも整合手段が集積装置に設置されているために、集積装置から用紙を取り出す際に邪魔になったりする等の問題があった。
【０００８】
本発明は、折り処理された用紙を集積する従来の集積装置におけるこのような問題を解決し、用紙サイズ、用紙の種類、折り処理の種類等に関係なく、排出用紙の良好な整合が可能であり、操作性に優れた用紙集積装置及びかかる用紙集積装置を備えた用紙処理装置を提供することを目的とする。
【課題を解決するための手段】
【０００９】
前記目的は下記の発明により達成される。
１．
折り処理され、排出された用紙を集積する用紙集積装置において、
フレームと、
前記フレームに昇降可能に保持され、排出された用紙を集積する集積トレイと、
前記集積トレイに用紙が排出される際に用紙を案内し、前記集積トレイ上に集積された用紙の排出搬送方向における後端を押さえるように前記フレームに固定されている案内押さえ手段と、
前記集積トレイ上に集積された用紙を押さえる押さえ手段と、
該押さえ手段を制御する制御手段と、を有し、
前記集積トレイは、最大積載量に達した段階で満杯信号を出力するセンサが作動するように、前記集積トレイ上に集積された用紙の集積量の増加に応じて、前記案内押さえ手段に押されて下降し、
前記制御手段は、用紙サイズ、用紙の種類及び折り処理の種類の少なくとも一つに応じて前記押さえ手段を、少なくとも用紙を押さえる押さえ位置又は用紙から退避した退避位置に選択的に位置させることを特徴とする用紙集積装置。
２．
前記押さえ手段は、用紙の排出搬送方向における先端が突き当たる先端ストッパを有することを特徴とする前記１に記載の用紙集積装置。
３．
前記押さえ手段は、前記集積トレイ上の用紙を上から押さえる押さえ部を有することを特徴とする前記１又は前記２に記載の用紙集積装置。
４．
前記集積トレイに集積された用紙の排出搬送方向における後端を受ける後端支持壁を有し、前記先端ストッパは前記後端支持壁に平行であることを特徴とする前記２に記載の用紙集積装置。
５．
前記制御手段は、排紙時には、前記押さえ手段を前記押さえ位置に位置させ、非排紙時には、前記押さえ手段を前記退避位置に位置させることを特徴とする前記１から４のいずれか１項に記載の用紙集積装置。
６．
前記案内押さえ手段は、排出搬送される用紙に接して従動して回転するように前記フレームに固定された軸に回転自在に取り付けられた回転体を有することを特徴とする前記１から５の何れか１項に記載の用紙集積装置。
７．
用紙の排出搬送方向先端部を押さえる先端押さえ部材を有することを特徴とする前記１から６のいずれか１項に記載の用紙集積装置。
８．
用紙を折り処理する折り処理部と、
一対の排紙ローラを有し、前記折り処理部により折り処理された用紙を前記排紙ローラにより排出する排紙部と、
前記排紙部から排出された用紙を集積する用紙集積装置と、を有する用紙処理装置において、
前記用紙集積装置は、
フレームと、
前記フレームに昇降可能に保持され、前記折り処理部により折り処理されて前記排紙部により排出された用紙が集積される集積トレイと、
前記集積トレイに用紙を排出する際に用紙を案内し、前記集積トレイ上に集積された用紙の排出搬送方向における後端を押さえるように前記フレームに固定されている案内押さえ手段と、
前記集積トレイ上に集積された用紙を押さえる押さえ手段と、
前記押さえ手段を制御する制御手段と、を有し、
前記集積トレイは、最大積載量に達した段階で満杯信号を出力するセンサが作動するように、前記集積トレイ上に集積された用紙の集積量の増加に応じて、前記案内押さえ手段に押されて下降し、
前記制御手段は、用紙サイズ、用紙の種類及び折り処理の種類の少なくとも一つに応じて前記押さえ手段を、少なくとも用紙を押さえる押さえ位置又は用紙から退避した退避位置に選択的に位置させることを特徴とする用紙処理装置。
９．
前記押さえ手段は、用紙の排出搬送方向における先端が突き当たる先端ストッパを有することを特徴とする前記８に記載の用紙処理装置。
１０．
前記押さえ手段は、前記集積トレイ上の用紙を上から押さえる押さえ部を有することを特徴とする前記８又は前記９に記載の用紙処理装置。
１１．
前記集積トレイに集積された用紙の排出搬送方向における後端を受ける後端支持壁を有し、前記先端ストッパは前記後端支持壁に平行であることを特徴とする前記９に記載の用紙処理装置。
１２．
前記制御手段は、排紙時には、前記押さえ手段を前記押さえ位置に位置させ、非排紙時には、前記押さえ手段を前記退避位置に位置させることを特徴とする前記８から１１のいずれか１項に記載の用紙処理装置。
１３．
前記案内押さえ手段は、排出搬送される用紙に接して従動して回転するように前記フレームに固定された軸に回転自在に取り付けられた回転体を有することを特徴とする前記８から１２のいずれか１項に記載の用紙処理装置。
１４．
前記回転体は、排出搬送される用紙が前記排紙ローラを離れた直後に、前記排出搬送される用紙の後端を前記集積トレイに対して押し付けることを特徴とする前記１３に記載の用紙処理装置。
１５．
前記回転体の軸の中心が前記排紙ローラにより形成されるニップの延長線よりも上方であり、前記回転体の用紙押さえ面が前記延長線よりも下方に位置するように、前記回転体が配置されたことを特徴とする前記１３又は１４に記載の用紙処理装置。
【発明の効果】
【００１０】
本発明においては、折り処理され集積される用紙のサイズ、種類及び折り処理の種類の少なくとも一つに応じて、用紙を押さえる押さえ手段を押さえ位置又は退避位置に選択的に位置させるので、様々な条件に応じて適正に用紙を整合することが可能である。
【発明を実施するための最良の形態】
【００１１】
以下本発明の実施の形態を用いて本発明を説明するが、本発明は該実施の形態に限られない。
【００１２】
図１は本発明の実施の形態に係る用紙処理装置を備えた画像形成システムの全体図である。
【００１３】
［画像形成システム］
画像形成システムは画像形成装置Ａ、自動原稿送り装置ＤＦ、用紙処理装置Ｂ及び大容量給紙装置ＬＴで構成される。
【００１４】
図示の画像形成装置Ａは、画像読取部（画像入力装置）１、画像処理部２、画像書込部３、画像形成部４、給紙カセット５Ａ，５Ｂ，５Ｃ、手差し給紙トレイ５Ｄ、第１給紙部６Ａ，６Ｂ，６Ｃ，６Ｄ、６Ｅ、第２給紙部６Ｆ、定着装置７、排紙部８、自動両面コピー給紙部（ＡＤＵ）８Ｂを備えている。
【００１５】
画像形成装置Ａの上部には、自動原稿送り装置ＤＦが搭載されている。画像形成装置Ａの図示の左側面の排紙部８側には、用紙処理装置Ｂが連結されている。
【００１６】
自動原稿送り装置ＤＦの原稿台上に載置され搬送された原稿は、画像読取部１の光学系により原稿の片面又は両面の画像が読みとられ、イメージセンサ１Ａに読み込まれる。
【００１７】
イメージセンサ１Ａにより光電変換されたアナログ信号は、画像処理部２において、アナログ処理、Ａ／Ｄ変換、シェーディング補正、画像圧縮処理等が行われた後、画像書込部３に信号を送られる。
【００１８】
画像書込部３においては、半導体レーザからの出力光が画像形成部４の感光体ドラム４Ａに照射され、感光体ドラム４上に潜像を形成する。画像形成部４においては、帯電、露光、現像、転写、分離、クリーニング等の処理が行われる。給紙カセット５Ａ〜５Ｃ、手差し給紙トレイ５Ｄ、大容量給紙装置ＬＴから第１給紙部６Ａ〜６Ｅの各々により給送された用紙Ｓには転写手段４Ｂにより画像が転写される。画像を担持した用紙Ｓは、定着装置７により定着され、排紙部８から用紙処理装置Ｂに送り込まれる。或いは搬送路切換板８Ａにより自動両面コピー給紙部８Ｂに送り込まれた片面画像処理済みの用紙Ｓは、再び画像形成部４において、両面画像処理後、排紙部８から排出される。
【００１９】
［用紙処理装置］
用紙処理装置Ｂは、搬入部１０、排紙部２０、用紙付加部（表紙用紙給紙部）３０、穿孔処理部（パンチ処理部、第１処理部）４０、搬送部５０、折り処理部（第２処理部）６０及び用紙集積装置１００から構成されている。
【００２０】
図２は、本発明に係る用紙処理装置Ｂの全体構成図である。
【００２１】
〈搬入部〉
搬入部１０には、画像形成装置Ａにより画像形成処理された用紙Ｓが導入される。
【００２２】
搬入部１０の用紙導入位置は、画像形成装置Ａの排紙部８の用紙排出位置に対向する。
【００２３】
入口ローラ１１に導入された用紙Ｓは、搬送路切換手段Ｇ１によって排紙部２０と穿孔処理部４０の何れかに分岐される（分岐部）。
【００２４】
〈排紙部〉
パンチ処理及び折り処理が設定されない場合、搬送路切換手段Ｇ１は穿孔処理部４０への搬送路を遮断し、排紙部２０への搬送路を開放する。
【００２５】
排紙部２０に向かう第１搬送路ｐ１を通過する用紙Ｓは、搬送ローラ２１，２２に挟持されて直進し、排紙ローラ２３により排紙部２０から排出され、集積装置１００の集積トレイ１０２上に積載される。
【００２６】
搬送路切換手段Ｇ２によって搬送ローラ２２の用紙搬送方向下流側の図示上方に分岐された用紙Ｓは、第６搬送路ｐ６の搬送ローラ２５を通過し、排紙ローラ２６によって排出され、用紙処理装置Ｂ上部に配置された単シート処理排出部としてのサブ集積トレイ（トップトレイ）２７上に積載される。サブ集積トレイ２７上には、折り処理されない用紙Ｓが排出される。
【００２７】
〈穿孔処理部４０〉
搬入部１０の搬送路切換手段Ｇ１により分岐された用紙Ｓは、搬送路切換手段Ｇ１の下方に配置された搬送ローラ４１に挟持され、穿孔処理部（第１処理部）４０に搬送される（第２搬送路ｐ２）。
【００２８】
穿孔処理部４０の下流側の搬送路には、整合手段４２が配置され、穿孔処理前の用紙Ｓの用紙幅方向を整合する。
【００２９】
穿孔処理部４０の穿孔器は、図示しない駆動手段により駆動されるパンチと、パンチの刃部に嵌合するダイスとから成る。穿孔処理された用紙Ｓは、下方の搬送部５０に送られる（パンチ機能）。
【００３０】
〈搬送部５０〉
搬送部５０に送られた用紙Ｓは、搬送ローラ５１，５２，５３，５４により挟持されて折り処理部６０に搬送される。搬送ローラ５１，５２，５３，５４は、駆動源に接続する駆動ローラと、駆動ローラに圧接する従動ローラとから成る。各従動ローラはソレノイドＳＯＬに接続して、駆動ローラに接離可能である。
【００３１】
穿孔処理された小サイズの用紙Ｓのうち、折り処理が行われない用紙Ｓは、搬送路切換手段Ｇ３により分岐された第３Ａ搬送路３Ａを通過し、搬送ローラ６００に挟持されて搬送される。穿孔処理された大サイズの用紙Ｓは、折り処理の要否に拘わらず搬送路切換手段Ｇ３の分岐位置の下方の第３Ｂ搬送路３Ｂに搬送され、搬送ローラ５３，５４によって搬送され、折り処理部６０に導入される。ここで第３Ａ搬送路３Ａと、第３Ｂ搬送路３Ｂとを合わせて第３搬送路を構成している。
【００３２】
なお、搬送部５０に搬送路切換手段５５が設けられ、２枚の小サイズの用紙Ｓを蓄積して搬送する事により、２枚同時に後述の折り処理を行う事ができる。また、搬送路切換手段５５を設けず、用紙Ｓを１枚毎に折り処理するように構成し得ることは勿論である。
【００３３】
〈折り処理部６０〉
搬送部５０から折り処理部（第２処理部）６０に搬送された用紙Ｓは、レジストローラ６０１に挟持されて搬送され、第１折り部６１、第２折り部６２、第３折り部６３において、中折り、Ｚ折り、外三つ折り、内三つ折り、内四つ折り（観音折りとも称す）、ダブルパラレル折り等の折り処理（折り機能）が実施されて、第４搬送路ｐ４を介して第１搬送路ｐ１に戻される。
【００３４】
中折り、Ｚ折り、外三つ折り、内三つ折り、内四つ折り等の各種の折り処理された用紙Ｓは図３に示すとおりであり、［図３（ａ）：中折り、（ｂ）：Ｚ折り、（ｃ）：外三つ折り、（ｄ）内三つ折り、（ｅ）：ダブルパラレル折り、（ｆ）：観音折り］、折り機構の詳細は特開２００５−１５２２５号公報に記載されている。
【００３５】
図４は本発明の実施の形態に係る用紙集積装置１００の断面図であり、用紙Ｓが集積トレイ１０２上にない状態を示し、図５は同断面図で用紙Ｓが集積トレイ１０２上にある状態を示す。図５で、集積トレイ１０２上の最上部の用紙は、ローラ１０３の周面に接する。
図６は用紙集積装置の斜視図である。図７は用紙処理装置Ｂの排紙ローラ２３と回転体１０３との関係を示す図である。
【００３６】
用紙集積装置１００は用紙処理装置Ｂの一対の排紙ローラ２３を有する排紙部２０に取り付けられる。
【００３７】
用紙集積装置１００は、フレーム１０１を有し、フレーム１０１に以下に説明する各種の機能部品が取り付けられる。
【００３８】
集積トレイ１０２は図の左端部の軸１０２ａにおいて回転可能にフレーム１０１により支持される。
【００３９】
集積トレイ１０２の図右端部には、ワイヤ１０５の一端が取り付けられ、ワイヤ１０５の他端は引っ張り型のバネ１０４に連結される。
【００４０】
バネ１０４は一端がフレーム１０１に取り付けられるとともに、ワイヤ１０５はプーリ１０６に張架される。
【００４１】
このように、集積トレイ１０２はその右端部がワイヤ１０５により昇降可能に保持されており、後に説明するように、集積トレイ１０２に用紙Ｓが集積されることにより、集積トレイ１０２に対して下方に向く力が作用して集積トレイ１０２が下降する。
【００４２】
１０３は静止部としてのフレーム１０１に固定された軸に回転自在に取り付けられた回転体であり、用紙処理装置Ｂの排紙部２０から排出された用紙Ｓを集積トレイ１０２上に案内し、用紙Ｓを押さえる案内押さえ手段を構成する。回転体１０３は用紙Ｓに接触して従動回転する。
【００４３】
図７に示すように、回転体１０３はその回転軸１０３ａの中心が排紙ローラ２３を構成するローラ対間のニップＮＰに引いた接線Ｌよりも上方に位置し、且つ、用紙Ｓを押圧してガイドする回転体１０３の外周の下端１０３ｂが接線Ｌよりも下方に位置する。
【００４４】
このような回転体１０３の配置及び形状により、排紙部２０から排出搬送された用紙Ｓの先端は回転体１０３の周面に突き当たり、突き当たった後に回転体１０３の下へと確実にガイドされる。
【００４５】
１０７は用紙Ｓを押さえる押さえ手段であり、用紙Ｓの先端の飛び出しを押さえる先端ストッパ１０７ａ及び用紙Ｓを上から押さえる押さえ部１０７ｂで構成される。
【００４６】
先端ストッパ１０７ａは、フレーム１０１に形成された集積トレイ１０２上の用紙Ｓの搬送方向における後端を支持する後端支持壁１０１ａに平行である。
【００４７】
このように、先端ストッパ１０７ａと後端支持壁１０１ａが平行な構造により、用紙Ｓは集積トレイ１０２上に屈曲することなく整然と集積される。
【００４８】
なお、ここで平行とは、正確に１８０°であることを意味せず、１８０°から若干外れる場合も含む。
【００４９】
押さえ手段１０７は点線で示す退避位置と実線で示す押さえ位置とに位置させることが可能である。
【００５０】
排紙ローラ２３から排出された用紙Ｓはその先頭が、回転体１０３により接して回転体１０３の下に案内され、先端が押さえ手段１０７に接触して停止する。
【００５１】
用紙Ｓの排出搬送方向先端は、押さえ部１０７ｂにより浮き上がりが抑制されるとともに、先端ストッパ１０７ａにより排出搬送方向下流へと突出が阻止される。
【００５２】
用紙Ｓの後端は、排紙ローラ２３を離れた直後に回転体１０３により下方に押しつけられる。
【００５３】
このようにして、用紙Ｓは図示のように整合状態で集積トレイ１０２上に載置される。
【００５４】
連続排紙においては、集積トレイ１０２に載置された先行の用紙Ｓに対して後続の用紙Ｓが回転体により案内されながら、先端が押さえ手段１０７に接触した段階で停止し、先行用紙Ｓ上に重なる。
【００５５】
このようにして、用紙Ｓは排紙ローラ２３からの排出順に集積され、集積時にページ順が狂うことはない。
【００５６】
集積量の増加に応じて、集積トレイ１０２の右端部は下方に下がるが、最大集積量に達した段階で、集積トレイ１０２がアクチュエータ１０９を押して回転させ、この回転をセンサＳＥが検知して、満杯信号を出力する。
【００５７】
図８、９は本発明の他の実施の形態を示し、図８は正面断面図、図９は平面図である。
【００５８】
本実施の形態では、用紙の搬送方向先端部を押さえる先端押さえ部材が設けられている。先端押さえ部材以外は、図４〜７に示した実施の形態と同じである。
【００５９】
先端押さえ部材としての押さえシート１０８は図８に示すように、排紙ローラ２３から排出された用紙Ｓの先端を押さえて、集積された用紙Ｓの膨らみを抑制するものである。
【００６０】
折り処理された用紙Ｓには種々の形態がある。例えば、図３（ｂ）のＺ折りの場合、折りにより用紙の重なりが出来た部分を先頭にして用紙Ｓが排出される場合、用紙Ｓの先頭部が大きく膨らみやすい。
【００６１】
このような用紙の場合、押さえシート１０８により用紙Ｓの先端の浮き上がりを抑制するとともに、押さえ手段１０７によっても、先端部を規制するので、用紙Ｓは良好な整合状態で排紙トレイ１０２上に集積される。
【００６２】
押さえシート１０８は用紙Ｓに接触する下面が粗面化されたポリエチレンンシートと裏打ち層としてのＰＥＴ（ポリエチレンテレフタレート）シートからなる積層構成を有し、図の右端部、即ち、用紙の排出搬送方向上流端部がフレーム１０１に固定される。押さえシート１０８の左端は、即ち、用紙の排出搬送方向下流部は可動である。ポリエチレンシートの用紙Ｓに接触する面は、用紙Ｓが集積トレイ１０１から飛び出すのを抑えるように、摩擦抵抗の有する粗面に形成される。ＰＥＴシートは押さえシート１０８の剛性を強化して用紙Ｓに対する押さえ作用を強化する。
【００６３】
なお、押さえシート１０８としてばね付勢され回転自在に支持された剛体シートを用いることもできる。
【００６４】
図１０は画像形成システムの制御系のブロック図、図１１は用紙処理装置の制御のフローチャートである。
【００６５】
押さえ手段１０７は用紙処理装置Ｂの作動開始前では、図４の点線で示す退避位置にある。
【００６６】
画像形成装置Ａから伝送された作動命令により（ＳＴＥＰ１）、ＳＴＥＰ２において、表１におけるＭに該当するか又はＮに該当するかを判断する。
【００６７】
【表１】
0004428407.tif 000002
【００６８】
なお、表１において、斤量７１ｇ／ｍｍ2以下を薄紙と言い、Ａ４サイズ、即ち、折り前の搬送方向における長さが２９７ｍｍ以下を小サイズと言い、観音折り、ダブルパラレル折り等の三重以上の折りを多重折りという。
【００６９】
表１に示す例では、薄紙、且つ、Ａ４サイズ以下の場合に、押さえ手段１０７を押さえ位置に位置させることにより用紙Ｓを整然と集積することができた。
【００７０】
薄紙、且つ、Ａ４サイズ以下以外の用紙では、回転体１０３の整合作用により、押さえ手段を退避させても用紙を整然と集積することができた。
【００７１】
なお、表１に示す判断は一例であり、表１の判断は種々変更可能であって、用紙サイズ、用紙の種類及び折り処理の種類の少なくとも一つに応じて、押さえ手段１０７を押さえ位置又は退避位置に選択的に位置させることができる。
【００７２】
また、表１に示す例では、用紙Ｓの種類の一つとして用紙の斤量に応じて制御手段２００が押さえ手段１０７を制御しているが、用紙Ｓの種類として、斤量の他に、普通紙、コート紙等のように、紙質も含めてランク分けしてもよい。
【００７３】
用紙処理装置制御手段１１０は画像形成装置制御手段２００と通信を行い、ＳＴＥＰ２における判断を画像形成装置Ａの操作部２１０の用紙設定部２１０ａ及び折り処理設定部２１０ｂにおける設定に従って表１に示す判断を行う。
【００７４】
なお、外部機器（図示せず）からの命令によりプリント及び折り処理を行う場合は、用紙サイズ、用紙の種類及び折り処理の種類に関する情報は、外部機器との通信を行う通信部２１１で受信して供給される。
【００７５】
Ｍに該当する場合は（ＳＴＥＰ２のＭ）、モータ１１１を起動して押さえ手段１０７を図４の実線位置に設定する（ＳＴＥＰ３）。Ｎに該当する場合は、作業を行うことなく終了する。
【００７６】
押さえ手段１０７を設定し、用紙集積が行われ、ジョブが完了した時点（ＳＴＥＰ４のＹＥＳ）で、モータ１１１を起動して押さえ手段１０７を点線の退避位置に復帰させる（ＳＴＥＰ５）。
【図面の簡単な説明】
【００７７】
【図１】本発明の実施の形態に係る用紙処理装置を備えた画像形成システムの全体図である。
【図２】本発明に係る用紙処理装置Ｂの全体構成図である。
【図３】折り処理の例を示す図である。
【図４】本発明の実施の形態に係る用紙集積装置の断面図である。
【図５】本発明の実施の形態に係る用紙集積装置の断面図である。
【図６】本発明の実施の形態に係る用紙集積装置の斜視図である。
【図７】用紙処理装置の排紙ローラと回転体との関係を示す図である。
【図８】本発明の他の実施の形態に係る用紙集積装置の断面図である。
【図９】本発明の他の実施の形態に係る用紙集積装置の平面図である。
【図１０】本発明の実施の形態に係る用紙処理装置を有する画像形成システムの制御系のブロック図である。
【図１１】押さえ手段の制御のフローチャートである。
【符号の説明】
【００７８】
１００  用紙集積装置
１０１  フレーム
１０２  集積トレイ
１０３  回転体
１０７  押さえ手段
Ｂ  後処理装置
【図１】
0004428407.tif 000003
【図２】
0004428407.tif 000004
【図３】
0004428407.tif 000005
【図４】
0004428407.tif 000006
【図５】
0004428407.tif 000007
【図６】
0004428407.tif 000008
【図７】
0004428407.tif 000009
【図８】
0004428407.tif 000010
【図９】
0004428407.tif 000011
【図１０】
0004428407.tif 000012
【図１１】
0004428407.tif 000013